(57)【特許請求の範囲】
【請求項１】
金属枠の室内側に樹脂枠を添設した複数個の複合窓枠を方立を介して横方向に連結して連窓サッシを形成するとともに、前記樹脂枠の上、下枠及び両端の縦枠に設けてある室内方向に延長するアングル部の外周側に額縁を取付けて、各方立の室内側面に樹脂製の方立カバーを添設する複合窓枠の連結造において、
前記方立カバーは、前記樹脂枠の隣接する縦枠のアングル部の間であって、前記上下の額縁の間において設けられ、前記方立カバーの高さ（Ｈ２）は前記樹脂枠の上、下枠のアングル部の対向面間距離（Ｈ１）よりも所定寸法（ｈ）だけ短く設定されているとともに、前記方立カバーの下端部に、前記上下の額縁の対向面に前記上、下枠のアングル部を嵌合するシャクリが設けられているか否かに応じて前記方立カバーの長さを調整する調整部材を備えたことを特徴とする複合窓枠の連結構造。
【請求項２】
前記調整部材は、方立カバーの下端面に装着される硬質合成樹脂製のキャップと、そのキャップの上面に前記方立カバーの下端面との間に介在するように着脱自在に載置され、圧縮可能な弾性クッション材とからなり、前記所定寸法ｈは前記キャップの底板の厚みｈ１と等しく、前記クッションの最大圧縮量ｈ２は複合窓枠の上枠のアングル部の厚みｈ３と等しいことを特徴とする請求項１に記載の複合窓枠の連結構造。
【請求項３】
クッション材は、圧縮率が小さい上層と圧縮率が大きい下層の２層で構成されていることを特徴とする請求項２に記載の複合窓枠の連結構造。
【請求項４】
複合窓枠の上枠及び下枠のアングル部がシャクリのない額縁の表面に取り付けられる場合は、前記調整部材は前記クッション材を前記キャップに載置して用いられ、前記複合窓枠の上枠及び下枠のアングル部がシャクリを有する額縁の表面に取り付けられる場合は、前記調整部材は前記クッション材を取り除いて用いられ、いずれの場合も、方立カバーの上端部が上額縁の下面とほぼ同一面に存在し、前記キャップは方立カバーの下端部と下額縁の上面との間の隙間を密封することを特徴とする請求項２又は３に記載の複合窓枠の連結構造。
【請求項５】
キャップは、方立カバーの下端面を被覆する底板と、その底板の上面に突出し、前記方立カバーにその下端から嵌合して固定される突起と、前記底板の室内側端部から起立して前記方立カバーの下端部の室内面を被覆する起立部と、前記底板の下面に下枠のアングル部の厚みと等しい高さを持って突出する第１凸部と、前記起立部の下方に前記第１凸部の下面と等しい位置まで突出し、基部に破断線を有する第２凸部とを有するものであり、複合窓枠の上枠及び下枠のアングル部がシャクリを有する額縁の表面に取り付けられる場合、前記第２凸部は前記破断線において切除されることを特徴とする請求項２，３又は４に記載の複合窓枠の連結構造。
【請求項６】
上下枠のアングル部の対向面間距離をＨ１、上額縁の下面と下額縁の上面との間の距離をＨ３、キャップの底板の厚みをｈ１、クッション材の最大圧縮量をｈ２、下枠のアングル部の厚みをｈ３とすると、方立カバーの長さＨ２は、額縁にシャクリがない場合は、式Ｈ３＝Ｈ２＋（ｈ１＋ｈ２＋ｈ３），Ｈ２＝Ｈ３−（ｈ１＋ｈ２＋ｈ３）、額縁にシャクリがある場合は式Ｈ３＝Ｈ１＝Ｈ２＋ｈ１，Ｈ２＝Ｈ１−ｈ１が成立する関係にあることを特徴とする請求項２、３，４又は５に記載の複合窓枠の連結構造。
【請求項７】
複合窓枠はそれぞれ大きさが異なる台形に形成され、方立カバーはその上端面が上枠のアングル部の下面とほぼ連続する傾斜状に形成されていることを特徴とする請求項１ないし６のいずれか１項に記載の複合窓枠の連結構造。
【発明の詳細な説明】
【技術分野】
【０００１】
本発明は、金属枠の室内側に樹脂枠を添設した複数個の複合窓枠を方立を介して横方向に連結してなる連窓サッシにおける複合窓枠の連結構造に関する。
【背景技術】
【０００２】
金属枠の室内側に樹脂枠を備えた複合窓枠の複数個を方立を介して横方向に連結してなる連窓サッシは、特許文献１に開示されている。この文献の複合窓枠の連結構造においては、樹脂枠はほぼ四角形の各辺に沿って室内側にＬ字形に突出するアングル部を有し、方立は互いに隣接して対向する縦枠の間に配置されて上枠の上端から下枠の下端に渡って延在する室外部と、上枠のアングル部から下枠のアングル部に渡って延在する室内部とからなり、その室内部の室内側面に樹脂製の方立カバーが装着される。その方立カバーは、互いに隣接して対向する縦枠のアングル部の間を上下方向に延び、その上端面及び下端面は隣接する複合窓枠の上枠及び下枠が存在しない位置において、化粧額縁（以下、単に額縁という。）を構成する上額縁の下面又は下額縁の上面に当接されて、方立カバーの上下端と上額縁及び下額縁の間に外観低下の原因となる隙間が生じないように取り付けられている。
【０００３】
そころで、上枠のアングル部及び下枠のアングル部の額縁に対する納まり形態は、図１２に示すように、額縁８（８１，８２）に前記アングル部を嵌合するための凹部（本願においてはこれをシャクリという。）が形成されていない場合（同図（ａ））と、シャクリ８ａが形成されている場合（同図（ｂ））との２通りある。いずれの場合も、複合窓枠はその寸法を変えることなく同じものが取り付けられる。そして、シャクリ無しの場合は、上枠のアングル部１２がその厚み分だけ上額縁８１の下面から下方に突出し、また、下枠のアングル部２２がその厚み分だけ下額縁８２の上面から上方に突出する。また、シャクリ有りの場合は、上枠のアングル部１２及び下枠のアングル部２２がそれぞれ上額縁８１のシャクリ８ａ及び下額縁８２のシャクリ８ａに嵌合されて、上枠のアングル部１２の下面と上額縁８１の下面とがほぼ同一面に存在し、かつ、下枠のアングル部２２の上面と下額縁８２の上面とがほぼ同一面に存在する。そして、いずれの場合も、方立カバー７は、その上、下端部が額縁８の上下対向する面に当接した状態に取り付けられるから、シャクリ有りの場合の方立カバー７Ｂの長さは、シャクリ無しの場合の方立カバー７Ａの長さよりも少なくとも上、下枠のアングル部１２，２２の厚みの和に等しい長さ分だけ短いことが必要である。
【０００４】
そのため、従来は、シャクリ無しの場合の長い寸法の方立カバー７Ａを製作しておき、施工現場において、納まり形態がシャクリ有りの場合であるときは、その方立カバー７Ａを上、下枠のアングル部の厚みの和と等しい長さだけ切除して方立カバー７Ｂを作っていた。
【特許文献１】特開２００５−３００００
【発明の開示】
【発明が解決しようとする課題】
【０００５】
従って、従来技術には、施工現場で切断加工が必要となる場合があるという問題があった。連窓サッシには、特許文献１に記載されたものと同様に、上枠が傾斜状に連続する台形の複合窓枠を方立を介して横方向に連結してなる台形連窓サッシがあるが、この場合は方立カバーの上端に上額縁の下面の傾斜角度と合致する傾斜上面が備えられる。従って、現場での切断加工の際に、所定角度の傾斜上面が形成されるように加工することは容易でないという問題があった。
【０００６】
本発明は、上記事情に基づいてなされたものであり、その課題は、シャクリの有無に関わりなく、方立カバーの切除を必要とせずに方立カバーを装着することができ、しかも、方立カバーと額縁との間に外観低下の原因となる隙間が発生しない複合窓枠の連結構造を提供することにある。
【課題を解決するための手段】
【０００７】
本発明は、上記課題を解決するため、金属枠の室内側に樹脂枠を添設した複数個の複合窓枠（以下、単に窓枠という。）を方立を介して横方向に連結して連窓サッシを形成するとともに、前記樹脂枠の上、下枠及び両端の縦枠に設けてある室内方向に延長するアングル部の外周側に額縁を取付けて、各方立の室内側面に樹脂製の方立カバーを添設する複合窓枠の連結造において、前記方立カバーは、前記樹脂枠の隣接する縦枠のアングル部の間であって、前記上下の額縁の間において設けられ、前記方立カバーの高さ（Ｈ２）は前記樹脂枠の上、下枠のアングル部の対向面間距離（Ｈ１）よりも所定寸法（ｈ）だけ短く設定されているとともに、前記方立カバーの下端部に、前記上下の額縁の対向面に前記上、下枠のアングル部を嵌合するシャクリが設けられているか否かに応じて、前記方立カバーの長さを調整する調整部材を備えたことを特徴とする（請求項１）。
上記構成により、窓枠の上枠及び下枠のアングル部がシャクリのない額縁の表面に取り付けられる場合は、方立カバーの下端面と下枠のアングル部の上面との間に所定寸法（ｈ１）に上下のアングル部の厚みの和（２ｈ１）に等しい間隙が発生するが、方立カバーの下端部に調整部材が備えられているので、方立カバーと下額縁の上面との間に介在され、圧縮された調整部材により前記隙間が塞がれる。従って、方立カバーの上端面は上額縁の下面に当接し、方立カバーの下端面と下額縁の上面との間の隙間が調整部材により閉塞される。
【０００８】
本発明は、前記調整部材が、方立カバーの下端面に装着される硬質合成樹脂製のキャップと、そのキャップの上面に前記方立カバーの下端面との間に介在するように着脱自在に載置され、圧縮可能な弾性クッション材とからなり、前記所定寸法ｈは前記キャップの底板の厚みｈ１と等しく、前記クッションの最大圧縮量ｈ２は複合窓枠の上枠のアングル部の厚みｈ３と等しいことを特徴とする（請求項２）。
上記構成により、調整部材は硬質キャップに弾性クッション材を載置して構成される。硬質キャップと弾性クッション材の２部品で容易に製造することができる。調整部材を硬質キャップと弾性クッション材とに分割して構成してあるので、キャップ部は方立カバーに確実に固定し、クッション材は方立カバーと下額縁の上面の間に生じる隙間の大小に弾力的に対応することができる。
【０００９】
また、本発明は、前記クッション材が圧縮率が小さい上層と圧縮率が大きい下層の２層で構成されていることを特徴とする（請求項３）。
この構成により、方立カバーからクッション材の上層に加わる圧縮力が下層に均等に分散されるため、クッション材が部分的に必要以上に圧縮することが防止され、方立カバーに対して上向きの反発力が有効に作用する。従って、方立カバーの上端部が上額縁の下面に密着される。
【００１０】
さらに、本発明は、窓枠の上枠及び下枠のアングル部がシャクリのない額縁の表面に取り付けられる場合は、調整部材はクッション材をキャップに載置して用いられ、窓枠の上枠及び下枠のアングル部がシャクリを有する額縁の表面に取り付けられる場合は、調整部材はクッション材を取り除いて用いられ、いずれの場合も、方立カバーの上端部が上額縁の下面とほぼ同一面に存在し、キャップは方立カバーの下端部と下額縁の上面との間の隙間を密封することを特徴とする（請求項４）。
上記構成により、方立カバーの長さを変えずに用いるに当たり、窓枠の上枠及び下枠のアングル部がシャクリのない額縁の表面に取り付けられる場合は方立カバーの下端面と下額縁の上面との間に形成される隙間にキャップとクッション材とが介在されるので、前記隙間が容易確実に閉塞され、窓枠の上枠及び下枠のアングル部がシャクリを有する額縁の表面に取り付けられる場合はクッション材が取り除かれるので、方立カバーの下端面と下額縁の上面との間をできるだけ薄いキャップで遮蔽することができる。
【００１１】
キャップは、方立カバーの下端面を被覆する底板と、その底板の上面に突出し、前記方立カバーにその下端から嵌合して固定される突起と、前記底板の室内側端部から起立して前記方立カバーの下端部の室内面を被覆する起立部と、前記底板の下面に下枠のアングル部の厚みと等しい高さを持って突出する第１凸部と、前記起立部の下方に前記凸部の下面と等しい位置まで突出し、基部に破断線を有する第２凸部とを有するものであり、窓枠の上枠及び下枠のアングル部がシャクリを有する額縁の表面に取り付けられる場合は、前記第２凸部は前記破断線において切除される得る構造を有するものであることが望ましい（請求項５）。
上記構成において、底板及び突起は、キャップを確実容易に安定して方立カバーに装着できるようにし、起立部はキャップを方立カバーに確実に固定し、第１凸部はキャップを下額縁の上面に安定した状態で保持する。第２凸部は破断線に沿って破断することができる。
【００１２】
さらに、本発明は、上下枠のアングル部の対向面間距離をＨ１、上額縁の下面と下額縁の上面との間の距離をＨ３、キャップの底板の厚みをｈ１、クッション材の最大圧縮量をｈ２、下枠のアングル部の厚みをｈ３とすると、方立カバーの長さＨ２は、額縁にシャクリがない場合は、式Ｈ３＝Ｈ２＋（ｈ＋ｈ３）＝Ｈ２＋（ｈ１＋ｈ２＋ｈ３）、額縁にシャクリがある場合は式Ｈ３＝Ｈ１＝Ｈ２−ｈ１が成立する関係にあることを特徴とする（請求項６）。
【００１３】
連窓サッシには、それぞれ大きさが異なる台形窓枠を順次横方向に連結してなる台形連窓サッシがある。本発明は、このような台形連窓サッシにおいては、方立カバーの上端面が上枠のアングル部の下面とほぼ連続する傾斜状に形成されていることを特徴とする（請求項７）。
【発明の効果】
【００１４】
請求項１の発明によれば、方立カバーはその高さ（Ｈ２）が窓枠の上下枠のアングル部の対向面間距離（Ｈ１）よりも所定寸法（ｈ）だけ短く設定されているとともに、方立カバーの下端部に額縁のシャクリ有無に応じてそれ自身の肉厚と圧縮量の変化による方立カバーの長さ調整機能を有する調整部材を備えているので、上枠及び下枠のアングル部がシャクリのない額縁の表面に取り付けられる場合は、方立カバーの下端面と下枠のアングル部の上面との間に発生する所定寸法（ｈ）の間隙が、方立カバーと下額縁の上面との間に介在され、圧縮された調整部材により塞がれる。そして、方立カバーの上端面は上額縁の下面に当接する。従って、方立カバーは、シャクリの有無に関係なく、切断加工を必要とすることなく用いることができる。よって、現場での施工が容易になる。
【００１５】
請求項２の発明によれば、前記調整部材は、方立カバーの下端面に装着される硬質合成樹脂製のキャップと、そのキャップの上面に前記方立カバーの下端面との間に介在するように着脱自在に載置され、圧縮可能な弾性クッション材とからなり、所定寸法ｈはキャップの底板の厚みｈ１と等しく、クッションの最大圧縮量ｈ２は複合窓枠の上枠のアングル部の厚みｈ３と等しく設定されているので、調整部材は硬質キャップとこれに載置される弾性クッション材の２部品で容易に製造することができるとともに、硬質キャップと弾性クッション材とに分割して構成してあるので、方立カバーに対する固定を確実に行い、方立カバーと下額縁の上面の間に生じる隙間にクッション材により弾力的に対応することができる。
【００１６】
請求項３の発明によれば、クッション材は圧縮率が小さい上層と圧縮率が大きい下層の２層で構成されているので、方立カバーからクッション材の上層に加わる圧縮力が下層に均等に分散されるため、クッション材が部分的に必要以上に圧縮することが防止され、また、方立カバーに対して上向きの反発力が有効に作用するので、方立カバーの上端部が上額縁の下面に密着される。
【００１７】
請求項４の発明によれば、窓枠の上枠及び下枠のアングル部がシャクリのない額縁の表面に取り付けられる場合は方立カバーの下端面と下額縁の上面との間にキャップとクッション材とが介在され、窓枠の上枠及び下枠のアングル部がシャクリを有する額縁の表面に取り付けられる場合はクッション材が取り除かれるので、長さが同じ方立カバーを用いても、シャクリの有無に関わりなく、方立カバーの下端面と下額縁の上面との間に不要な隙間が発生せず、できるだけ薄いキャップを用いることができる。
【００１８】
請求項５の発明によれば、キャップはその底板及び突起により方立カバーに確実容易に安定して装着され、起立部により方立カバーに確実に固定されるとともに、方立カバーの下端部と下額縁との間の隙間発生を予防し、第１凸部によりキャップが下額縁の上面に安定した状態で保持される。また、第２凸部は窓枠の上枠及び下枠のアングル部がシャクリを有する額縁の表面に取り付けられる場合は破断線において切除することができるから、キャップがシャクリに安定して嵌合固定される。
【００１９】
請求項６の発明によれば、上下枠のアングルの対向面間距離をＨ１、上額縁の下面と下額縁の上面との間の距離をＨ３、キャップの底板の厚みをｈ１、クッション材の最大圧縮量をｈ２、下枠のアングル部の厚みをｈ３とした場合、方立カバーの長さＨ２は、額縁にシャクリがない場合は式Ｈ３＝Ｈ２＋（ｈ１＋ｈ２＋ｈ３）が、額縁にシャクリがある場合は式Ｈ３＝Ｈ１＝Ｈ２−ｈ１が成立するように設定されるので、方立カバーの長さＨ２をキャップの底板の厚みｈ１、クッション材の最大圧縮量ｈ２、及び下枠のアングル部の厚みｈ３２に対応して容易かつ確実に設定することができる。
【００２０】
請求項７の発明によれば、それぞれ大きさが異なる台形窓枠を順次横方向に連結してなる台形連窓サッシにおいては、方立カバーの上端面が上枠のアングル部の下面とほぼ連続する傾斜状に形成されているので、上枠及び下枠のアングル部がシャクリのない額縁の表面に取り付けられる場合は方立カバーの下端部と下額縁の上面との間の距離が上枠のアングル部の下面の傾斜角度に応じて多少のバラツキが発生するが、そのバラツキはクッション材の圧縮能の範囲内で吸収される。
【発明を実施するための最良の形態】
【００２１】
次に、本発明に係る窓枠の連結構造を台形連窓サッシに適用した場合の実施の形態について、図面に基づいて詳細に説明する。図１は本発明により複数個の台形窓枠を横方向に連結した台形連窓サッシの正面図、図２は図１の台形窓枠の連結部分を分解して方立とその方立に装着される方立カバーを示す分解斜視図、図３は図１のＸ−Ｘ線に沿った横断面図、図４は窓枠の連結部分の横断面図、図５は同連結部分の分解横断面図、図６は方立カバーの室内側から見た正面図、図７は方立カバー及び調整部材の分解斜視図、図８は本発明の要部の一つである調整部材及びクッション材の斜視図、図９は窓枠の額縁に対する２種類の納まり形態を示す縦断面図、図１０は窓枠の額縁に対する２種類の納まり形態における額縁とアングル部及び方立カバーの室内側から見た場合の外観を示す正面図、図１１は窓枠の２種類の納まり形態における調整部材の使用態様及び作用効果を示す縦断面図である。
【００２２】
図１のように、図示の実施形態における台形連窓サッシの窓枠の連結構造は、複数個の窓枠１を方立２を介して横方向に連設するものである。
【００２３】
各窓枠１は、それぞれ金属枠３の室内側に樹脂枠４を結合した上枠１０と下枠２０及び左右の縦枠３０，３０を、上枠１０が傾斜するように台形状に枠組みしたものである。左右の縦枠３０、３０はそれぞれ長さが異なるが、その下端を同じ高さに配置して下枠２０が略水平に配設される。一方、縦枠３０は直立されており、その上端はそれぞれ高さが異なるので、上枠１０は傾斜状に配設されており、縦枠３０の上端部及び上枠１０の縦枠３０、３０に突き当てられる両端部は上枠の傾斜角度に適合するように材軸に対して斜めに切断されている。こうして、上枠１０は高さの異なる縦枠３０、３０の上端部間を懸架するように傾斜して配置され、台形の窓枠１を形成している。
【００２４】
上、下枠１０，２０及び左右の縦枠３０，３０の各樹脂枠４は、既知の複合窓枠におけると同様に、室内側にＬ字形に突出するアングル部１２，２２，３２を有する。すなわち、樹脂上枠１１にはその略全長に渡って上アングル部１２が、樹脂下枠２１にはその略全長に渡って下アングル部２２が、樹脂縦枠３１にはその略全長に渡って縦アングル部３２が、それぞれ形成されている。そして、上アングル部１２と下アングル部２２及び左右の縦アングル部３２、３２は、台形の樹脂枠の略四辺に沿って連続されている。
【００２５】
図中、５は各窓枠１に納められたガラス板、６は上枠１０と下枠２０及び縦枠３０の樹脂３に対してそれぞれその長手方向略全長に渡って設けられた押縁であり、上枠１０と下枠２０及び縦枠３０の金属枠２に形成された凸縁１３、２３，３３との間にガラス板５を挟持して固定している。
【００２６】
図１に示す台形連窓サッシＳは、次第に高さが低くなる３つの窓枠１をそれぞれ方立２を介して連結している。方立２は、図２、図４及び図５に示すように、左右に隣接して対向する縦枠３０間に設けられて、それぞれの縦枠３０を連結固定するものである。方立２は断面ほぼＴ字形の金属形材からなり、Ｔ字の垂直部に相当する室外部４１とＴ字の水平部に相当する室内部４２とを一体に有している。室外部４１は、窓枠１の上アングル部１２と下アングル部２２の間の距離よりも長い長さを有しているが、室内部４２は上端部と下端部が切除されて上アングル部１２と下アングル部２２の間の距離よりも若干短い長さを有している。そして、室外部４１の下端４１ａは下枠２０の下端に合わせて水平に切断され、上端４１ｂは傾斜配置される上枠１０に合わせて斜めに切断されている。また、室内部４２の上端と下端は共に水平に切断されている。
【００２７】
方立２の室外部４１は、長手方向略全長に渡ってタイト材４３を保持し、そのタイト材４０を縦枠３０に密着させた状態で連結することにより、サッシの水密性を確保している。そして、方立２は、室外部４１の先端部と中間部に形成してある係合部４４、４５をそれぞれ縦枠３０の金属枠の室外側端部及び中間部に設けてある屈曲突縁３４，３５に係合させるとともに、室内部４２の両辺を縦枠３０の金属枠の室内側端部に設けてある屈曲突縁３６に当接させ、その室内部４２から長手方向数カ所においてネジ止めすることにより、縦枠３０を連結し固定している。
【００２８】
隣接する縦枠３０、３０を方立２により連結すると、方立２の室内部４２と、それぞれの縦枠３０の室内側に突出する縦アングル部３２、３２とにより凹部が形成される。そして、この凹部の開口面を覆うように方立カバー７が装着され、固定される。
【００２９】
方立カバー７は、中空部７１を有する樹脂製中空形材からなり、サッシの断熱性及び意匠性を向上させる目的で、金属製方立２の室内側面を覆うものである。方立カバー７は、縦アングル部３２からのネジ止めにより固定される。この場合、窓枠の金属部分が介在しないので、サッシの断熱性の低下が防止される。方立カバー７は、縦アングル部３２の室内側面も覆っており、室内側から見た窓枠１の連結部分をほぼ覆う構成とされている。また、方立カバー７は縦アングル部３２の見込方向長さと略同じ見込方向寸法に形成されるので、方立２に方立カバー７を取付けることにより、窓枠１、１を室内側から見た場合に一体的に連続する外観を備えることができる。
【００３０】
さらに、方立カバー７は、台形連窓サッシＳに図９に示すように額縁８を取付けた場合に左右に隣接する窓枠３０，３０の内、一の窓枠の上アングル部１２と他の窓枠の上アングル部１２との間の空隙から一の窓枠の下アングル部２２と他の窓枠の下アングル部２２との間の空隙までの間に渡って延長している。このため、方立カバー７の下端７３は下額縁８２の上面に適合するように水平に切断されている。他方、方立カバー７の上端７２は、傾斜している上額縁８１の下面に適合するように斜めに切断されている。方立カバー７をこのよに形成することにより、方立カバー装着後の連窓サッシの外観的な一体感を確保することができる。図１、図１０に示すように、方立カバー７の上面は、傾斜した上アングル部１２の上面と略連続状となるように配置される。
【００３１】
上述したように、縦枠３０、３０の方立２に対する固定は、方立２の室内部４２においてなされる。ここで、室内部４２は、その上端が連結された窓枠１の上アングル部１２,１２の下面を結んだ面よりも下方となるように配置される。室内部４２の室内側には、上述した方立カバー７が設けられて、室内部４２は室内側に直接露見されないから、本実施形態に示されるように、方立の室内部４２の上端を必ずしも傾斜状の上枠１０に合わせて斜めに切断する必要はない。
【００３２】
上記のように、複数個の窓枠１を方立２を介して横方向に連結し、方立の室内面に方立カバー７を装着した連窓サッシＳを建物に取り付けた後に、各アングル部１２，２２，３２の外周側に額縁８が取り付けられる。額縁８は上額縁８１，下額縁８２及び左右の縦額縁８３を矩形（台形連窓サッシの場合は台形）に連続して構成される。そして、各窓枠１の上アングル部１２及び下アングル部２２の額縁８に対する納まり形態には、図９に示すように、シャクリ無し納まり形態（同図（ａ））とシャクリ有り納まり形態（同図（ｂ））とがあり、前者の場合は、上アングル部１２の下面が上額縁８１の下面から突出し、下アングル部２２の上面が下額縁８２の上面から突出する態様で取り付けられる。また、後者の場合は、上アングル部１２と下アングル部２２がそれぞれ上額縁８１と下額縁８２に形成されているシャクリに嵌合されて、上アングル部１２の下面と上額縁８１の下面が、下アングル部２２の上面と下額縁８２の上面が、それぞれ同一面に存在する態様で取り付けられる。
【００３３】
従って、前者の納まり形態における上下の額縁の対向面間距離は、後者の納まり形態におけるそれよりも上アングル部の厚みと下アングル部の厚みの和に等しい距離だけ大きい。そして、方立カバー７は、連窓サッシの外観向上のために、その上、下端部がそれぞれ上下の額縁の対向面に当接して、それらの間に隙間が発生しないことが要望される。
従来は、このような要望に応えるために、納まり形態に応じて異なる長さの方立カバーが使用されたため、問題があったことは既述したとおりである。
【００３４】
本発明では、その問題解消のため、第一に、図１１に示すように、方立カバー７の高さ（長さ）Ｈ２を上、下アングル部１２，２２の対向面間距離Ｈ１よりも所定寸法ｈだけ短く設定した。そして、図７に示すように、その方立カバー７の下端部に調整部材９を備えた。調整部材９は、額縁８のシャクリの有無に応じて、それ自身の肉厚と圧縮量の変化による方立カバー７の長さ調整機能を有するものである。
【００３５】
それ自身の肉厚と圧縮量の変化により方立カバー７の長さ調整機能を有する調整部材９は、図７及び図８に一例を示すと、方立カバーの下端面に装着される硬質合成樹脂製のキャップ９ａと、そのキャップの上面に前記方立カバーの下端面との間に介在するように着脱自在に載置され、圧縮可能な弾性クッション材９ｂとからなっている。
【００３６】
キャップ９ａは、方立カバー７の下端面を被覆する底板９１と、その底板の上面に突出し、方立カバーにその下端から嵌合して固定される突起９２と、底板９１の室内側端部から起立して方立カバーの下端部の室内面を被覆する起立部９３と、底板９１の下面に窓枠の下アングル部２２の厚みと等しい高さを持って突出する第１凸部９４と、起立部９３の下方に第１凸部９４の下面と等しい位置まで突出し、基部に破断線９５を有する第２凸部９６とを有する。その第２凸部９６は、複合窓枠の上枠及び下枠のアングル部１２，２２がシャクリを有する額縁８の表面に取り付けられる場合に、破断線９５において切除されるものである。
【００３７】
一方、クッション材９ｂは、図８（ｄ）に例示するように、圧縮率が小さい上層９７と圧縮率が大きい下層９８の２層で構成されている。クッション材には、その中央及び両側において厚み方向に貫通する孔９９及び小孔９１０が形成されている。キャップ材９ａにも、その小孔９１０に対応する小突起９１１が突起９２の両側に設けてある。従って、クッション材９ｂをキャップ９ａに載置して、孔９９には突起９１０を、小孔９１０には小突起９１１をそれぞれ嵌合することにより、クッション材９ｂがキャップ９ａの上面に着脱自在に固定されている。
【００３８】
上記調整部材９は、キャップ９ａにクッション材９ｂを取り付けた状態で、又はクッション材９ｂを取り外した状態で、方立カバー７の下端部からその中空部７１にキャップ９ａの突起９２を押し込むと、方立カバーの下端縁をキャップの底板９１の上面周囲に当てて止めた状態で固定される。その場合、キャップ９ａの起立部９３は、方立カバーの室内面を被覆し、さらにその横方向端部が室外側に屈曲されている。この屈曲部分は、方立カバーの室内壁の横方向端面をも被覆する。これにより、装着された調整部材のがたつきが防止される。
【００３９】
方立カバー７の長さＨ２が上、下アングル部１２，２２の対向面間距離Ｈ１よりも短い所定寸法ｈとは、キャップ９ａの底板９１の厚みｈ１と等しい。クッションの最大圧縮量ｈ２は少なくとも上アングル部１２の厚みｈ３と等しくされている。また、キャップ９ａの第１凸部９４及び第２凸部９５の高さは、少なくとも下アングル部２２の厚みｈ３と等しくされている。
【００４０】
上記方立カバー７に対する調整部材９の使用態様及び作用効果は、連窓サッシの額縁に対する納まり形態により異なる。これを図１１に基づいて説明する。
まず、同図（ａ）に示すように、シャクリ無しの額縁８Ａを取り付ける場合は、方立カバー７には、キャップ９ａにクッション材９ｂを載置した調整部材９が取り付けられる。
そして、この場合は、キャップの第２凸部９６も付いたままである。従って、この調整部材が取り付けられた方立カバー７を装着した連窓サッシにシャクリ無し額縁が取り付けられたときは、その方立カバー７の上端面から下端部の調整部材の下端面、すなわち、第１、第２凸部９５，９６の下端面までの距離は、上下額縁８１，８２の対向面間距離Ｈ３とほぼ等しい。従って、方立カバー７の上端面と上額縁８１の下面との間には隙間が発生せず、また、方立カバー７の下端面と下額縁８２との間はキャップ９ａの起立部９３及び第２凸部９６により遮蔽される。
【００４１】
次に、同図（ｂ）に示すように、シャクリ有りの額縁８Ｂを取り付ける場合は、方立カバー７には、キャップ９ａからクッション材９ｂを取り除いた調整部材９が取り付けられる。そして、この場合は、キャップの第２凸部９６は切断線から切除され、下額縁８２のシャクリにはキャップの第１凸部９４のみが安定して嵌合され、底板９１の底面のうち第２凸部が除去された後の面が下額縁８２の上面に当接される。そして、方立カバー７の上端面は上額縁８１の下面に当接され、調整部材のキャップの底板９１の底面が下額縁の上面に当接された状態で固定される。従って、この納まり形態においても、方立カバー７の上端面と上額縁８１の下面との間には隙間が発生せず、また、方立カバー７の下端面と下額縁８２との間はキャップ９ａの起立部９３により遮蔽される。
【００４２】
以上に説明したように、本実施の形態によれば、シャクリ無しの額縁の場合は、キャップ９ａにクッション材９ｂを結合してなる調整部材９を方立カバーに取り付け、シャクリ有りの場合は、クッション材を取り除いたキャップ９ａのみを方立カバーに取り付けるだけで、シャクリの有無に関わりなく、同一寸法の方立カバーを用いることができる。従って、施工現場で方立カバーを切断加工する必要がないので、施工コストが低減される。特に、台形連窓サッシの場合に施工現場で方立の切断加工を行うときは、その切断角度を上アングルの傾斜角度に合致させなければならないが、このような困難性が排除される。
【００４３】
上記の実施形態においては、台形連窓サッシの場合ついて説明したが、本発明は上枠が水平な矩形複合窓枠を連結してなる連窓サッシにも同様に適用されうるものである。また、本実施の形態では、横方向に３つの窓枠１を連結したサッシを示したが、連結数はいくつであってもよく、それぞれの連結部分に適合するように方立２及び調整部材付き方立カバー７を使用すればよい。
【図面の簡単な説明】
【００４４】
【図１】本発明により複数個の台形窓枠を横方向に連結した台形連窓サッシの正面図。
【図２】図１の台形窓枠の連結部分を分解して方立とその方立に装着される方立カバーを示す分解斜視図。
【図３】図１のＸ−Ｘ線に沿った横断面図。
【図４】窓枠の連結部分の横断面図。
【図５】同連結部分の分解横断面図。
【図６】方立カバーの室内側から見た正面図。
【図７】方立カバー及び調整部材の分解斜視図。
【図８】本発明の要部の一つである調整部材及びクッション材の斜視図。
【図９】窓枠の額縁に対する２種類の納まり形態を示す縦断面図。
【図１０】窓枠の額縁に対する２種類の納まり形態における額縁とアングル部及び方立カバーの室内側から見た場合の外観を示す正面図。
【図１１】窓枠の２種類の納まり形態における調整部材の使用態様及び作用効果を示す縦断面図。
【図１２】上枠のアングル部及び下枠のアングル部の額縁に対する納まり形態とこれに対する従来の方立カバーの取付け方法を説明する縦断面図。
【符号の説明】
【００４５】
Ｓ    連窓サッシ
１    窓枠（複合窓枠）
２    方立
４１  室外部
４２  室内部
３    金属枠
４    樹脂枠
５    ガラス板
６    押縁部材
７    方立カバー
９    調整部材
９ａ  キャップ
９ｂ  クッション材
９１  底板
９２  突起
９３  起立部
９４  第１凸部
９５  切断線
９６  第２凸部
９７  上層
９８  下層
１０  上枠
２０  下枠
３０  縦枠
【図１】
0004765097.tif 000002
【図２】
0004765097.tif 000003
【図３】
0004765097.tif 000004
【図４】
0004765097.tif 000005
【図５】
0004765097.tif 000006
【図６】
0004765097.tif 000007
【図７】
0004765097.tif 000008
【図８】
0004765097.tif 000009
【図９】
0004765097.tif 000010
【図１０】
0004765097.tif 000011
【図１１】
0004765097.tif 000012
【図１２】
0004765097.tif 000013